(57)【要約】      （修正有）【課題】シンチレーション検出器の入射窓に被測定物品の鋭利な部位が接触しても簡単に破損することのない遮光ユニットの提供を及び当該遮光ユニットを備えたシンチレーション検出器を提供する。【解決手段】測定対象の放射線が入射する入射窓Ｉと、入射窓Ｉに取付けられた遮光膜ｆと、前記放射線の通過により光を放出するシンチレータＳと、当該光との衝突により放出される光電子を増幅する光電子増倍管Ｐを備え、遮光膜ｆは入射面側においてさらに硬質遮光膜Ｆを非接着に当接させてなるとともに、硬質遮光膜Ｆの入射面側には適宜の硬質材からなるメッシュＭを配設した。【選択図】図１
0003144944.tif 000002
【実用新案登録請求の範囲】
【請求項１】
測定対象の放射線が入射する入射窓と、
該入射窓に取付けられた遮光膜と、
前記放射線の通過により光を放出するシンチレータと、
当該光との衝突により放出される光電子を増幅する光電子増倍管を備え、
前記遮光膜の入射面側にはさらに硬質遮光膜を着脱可能に当接させるとともに、
該硬質遮光膜の入射面側には適宜の硬質材からなるメッシュを配設したことを特徴とするシンチレーション検出器。
【請求項２】
前記硬質遮光膜は、ポリエステル・フィルム、ポリエチレン・フィルム、ポリイミド・フィルム、ポリプロピレン・フィルム、パラ系アラミド・フィルム、ポリフェニレン・フィルム、ナイロン・フィルム、フッ素フィルムのいずれかを素材とする請求項１のシンチレーション検出器。
【請求項３】
前記シンチレータから前記光電子増倍管へのライト・ガイド部の内壁面には、高効率反射板を周設した請求項１または２のシンチレーション検出器。
【請求項４】
前記シンチレータの入射面側が粗面である請求項１〜３のいずれかのシンチレーション検出器。
【請求項５】
前記シンチレータは、平断面を前記入射窓と略同大に形成した請求項１〜４のいずれかのシンチレーション検出器。
【請求項６】
測定対象の放射線が入射するシンチレーション検出器の入射窓に装着する遮光ユニットであって、該入射窓に取付けられた遮光膜と、該遮光膜の入射面側には硬質遮光膜を着脱可能に当接するとともに、該硬質遮光膜の入射面側には適宜の硬質材からなるメッシュを配設したことを特徴とする遮光ユニット。
【考案の詳細な説明】
【技術分野】
【０００１】
本考案は、原子力発電所や原子核・素粒子の研究所あるいは医療機関の放射線治療室など放射性物質を取扱う環境下における安全性を確保するため、放射線のレベルや放射性物質による汚染等を測定ないし検出するシンチレーション検出器に装着して用いる遮光膜に関する。
【背景技術】
【０００２】
放射性物質を取扱う環境下にあっては、従来より、空間線量モニタリングのγ線測定器、放射線物質による表面汚染モニタリングのゲートモニタやハンドフットクロスモニタなど当該環境における放射線量の測定が適時実施される。かかる測定に供される測定装置としては、シンチレーション検出器を用いたサーベイメータなどがよく知られる。
【０００３】
たとえば現用のβ線用シンチレーション・サーベイメータにおける放射線入射窓には、測定対象であるβ線の減衰を少しでも抑えるために、非常に薄いポリエステル等のフィルム材でできた遮光膜が備えられている。当該遮光膜は、上記フィルム材の表裏両面においてアルミニウム蒸着が施されており、シンチレーション検出器に入射する外乱光を遮蔽してその影響を軽減することを目的としている。これにより、シンチレーション検出器の入射窓を遮光膜で被覆することで外乱光の影響を排除できる。
【０００４】
ところで、この遮光膜は、上述のとおり非常に薄いものであるために、金属やプラスチックなどの硬質な被測定物品の鋭利な部位がこれに接触するだけで簡単に破損してしまい、計器等の保護という観点からは殆ど有効でない。さらに、破損箇所から進入した外乱光の影響で生じる誤計数により、荷電粒子の量や放射線エネルギーの分布状態など正しく把握することができないなどの重大な弊害がある。そして、かかる不具合を回避するために、入射窓の前面において5〜10mm角の金属製メッシュを取付け上記遮光膜を保護するという方法が一般的にはとられる。
【０００５】
しかしながら、金属製メッシュの隙間から進入した被測定物品の鋭利な部位との接触によって遮光膜が破損してしまうことは、実際は、少なくない。
【考案の開示】
【考案が解決しようとする課題】
【０００６】
そこで本考案は、上述のような従来技術の不具合に鑑み、放射性物質による汚染等を測定するとき、シンチレーション検出器の入射窓に被測定物品の鋭利な部位が接触しても簡単に破損することのない遮光ユニットの提供を、及び当該遮光ユニットを備えたシンチレーション検出器の提供を、その課題とする。
【課題を解決するための手段】
【０００７】
上記の課題を解決することを目的としてなされた本考案シンチレーション検出器の構成は、測定対象の放射線が入射する入射窓と、該入射窓に取付けられた遮光膜と、前記放射線の通過により光を放出するシンチレータと、当該光との衝突により放出される光電子を増幅する光電子増倍管を備え、前記遮光膜の入射面側にはさらに硬質遮光膜を着脱可能に当接させるとともに、該硬質遮光膜の入射面側には適宜の硬質材からなるメッシュを配設したことを特徴とするものである。
【０００８】
本考案シンチレーション検出器の硬質遮光膜は、ポリエステル・フィルム、ポリエチレン・フィルム、ポリイミド・フィルム、ポリプロピレン・フィルム、パラ系アラミド・フィルム、ポリフェニレン・フィルム、ナイロン・フィルム、フッ素フィルムのいずれかを素材として構成するのが望ましい。
【０００９】
また、本考案シンチレーション検出器の備えるシンチレータから光電子増倍管へのライト・ガイド部の内壁面には、高効率反射板を周設して構成することができる。
【００１０】
本考案シンチレーション検出器のシンチレータの入射面側は、粗面であることが望ましい。
【００１１】
本考案シンチレーション検出器のシンチレータは、平断面を前記入射窓と略同大に形成して構成するのが望ましい。
【００１２】
本考案遮光ユニットは、測定対象の放射線が入射するシンチレーション検出器の入射窓に装着する遮光ユニットであって、該入射窓に取付けられた遮光膜と、該遮光膜の入射面側には硬質遮光膜を着脱可能に当接するとともに、該硬質遮光膜の入射面側には適宜の硬質材からなるメッシュを配設したことを特徴とするものである。
【考案の効果】
【００１３】
本考案シンチレーション検出器は、遮光膜の入射面側にはさらに硬質な遮光膜が着脱可能な非接着状態に当接して備わるとともに、該硬質遮光膜の入射面側にメッシュが配設されているので、被測定対象の鋭利な部位が計器に接触しても該メッシュにより保護され、万一このメッシュの隙間から進入した部位があったとしても、上記の硬質遮光膜は、縦方向の衝撃に対しては遮光膜の厚みによってこれを受け止め、横方向の衝撃には前記遮光膜と非接着ゆえに受けた押力を横方向へ逃がすことができ、それぞれ遮光膜の破損をうまく回避できる。万一、硬質遮光膜が破損した場合にあっても、該硬質遮光膜は着脱可能に配設されており簡易に取り換えることが可能である。
【００１４】
また、硬質遮光膜は、密度の小さいポリエステル・フィルム、ポリエチレン・フィルム、ポリイミド・フィルム、ポリプロピレン・フィルム、パラ系アラミド・フィルム、ポリフェニレン・フィルム、ナイロン・フィルム、フッ素フィルムのいずれかを素材とすれば、薄くて軽くかつ丈夫に構成することができる。
【００１５】
さらに、シンチレータから光電子増倍管へのライト・ガイド部の内壁面に高効率反射板を周設すれば、シンチレーション光を効率よく光電子増倍管へ到達させることができるので、硬質遮光膜の追加により測定対象の放射線が減衰しても測定結果の正確性を維持できる。
【００１６】
さらに、シンチレータの放射線入射面側を粗面に形成すれば、シンチレーション光が不規則に放出され効率よく光電子増倍管へ到達させることができ、かつ、厚さを薄く形成すればβ線の検出下限値を向上させることができるとともにγ線の感度を下げることができてβ線の検出に好適であり、また、入射窓と略同大に形成すればバックグランド計数率の相対比率を低くすることができる。
【００１７】
さらに、本考案遮光ユニットは、上記のような各効果を有する硬質遮光膜を備えた遮光ユニットをシンチレーション検出器に対し着脱可能に装着して簡易に使用することができるとの効果を有する。
【考案を実施するための最良の形態】
【００１８】
次に、本考案の実施の形態例を図により説明する。図１は本考案に係るシンチレーション検出器の一例を示す断面図である。
【００１９】
図1において、１は本考案シンチレーション検出器であって、β線など測定対象の放射線が入射する入射窓Ｉと、該入射窓Ｉに取付けられた遮光膜ｆと、前記放射線の通過により光を放出するシンチレータＳと、当該光との衝突により放出される光電子を増幅する光電子増倍管Ｐを備えている。
【００２０】
遮光膜ｆは、ポリエステル・フィルムなどの非常に薄いフィルム材を素材としてなり、ピンホール効果による影響を回避するため本実施例においては複数枚の上記フィルム材を積層して設けている。
【００２１】
この遮光膜ｆの入射面側には、該遮光膜ｆの約5〜10倍程度の厚さを有するフィルム材が硬質遮光膜Ｆとして備わっており、さらにこの硬質遮光膜Ｆの入射面側においては、防護用に適宜の硬質素材からなるメッシュＭが配設されている。該メッシュＭにより被測定対象の鋭利な部位が薄い遮光膜ｆに接触するのを回避できるが、メッシュＭの隙間から進入した突起物に関し依然不都合が生じていたことは既に述べたとおりである。
【００２２】
ここで、硬質遮光膜Ｆは十分な厚みを有しており、入射窓Ｉに対し垂直方向の衝撃に対して効果的に防護機能を発揮しうる。また、硬質遮光膜Ｆは遮光膜ｆに対し非接着であるから、入射窓Ｉに水平方向の衝撃に対してはこれを横に逃がすことでやはり遮光膜ｆの破損を回避することができる。
【００２３】
硬質遮光膜Ｆを薄くて軽くかつ丈夫に構成するには、ポリエステル・フィルム、ポリエチレン・フィルム、ポリイミド・フィルム、ポリプロピレン・フィルム、パラ系アラミド・フィルム、ポリフェニレン・フィルム、ナイロン・フィルム、フッ素フィルムのいずれかを素材とするのが望ましい。
【００２４】
なお、上記の遮光膜ｆ、硬質遮光膜Ｆ、およびメッシュＭを備えた遮光ユニットＵをシンチレーション検出器に対して着脱可能に装着することができるように構成すれば、前述のような効果を従来型のシンチレーション検出器に簡易に付与することができる。
【００２５】
また、硬質遮光膜Ｆを配設したことによる入射放射線の減衰に対しては、シンチレータＳから光電子増倍管Ｐへのライト・ガイド部Ｇの内壁面Ｇｗには、図示しない高効率反射板ｒを周設することでシンチレーション光を効率よく光電子増倍管Ｐへ到達させることができる。
【００２６】
さらに、シンチレータＳの放射線入射面側Ｓｗを粗面に形成すれば、シンチレーション光を効率よく光電子増倍管へ到達させることができる。また、シンチレーションＳの厚さを薄く形成すればβ線の検出下限値を向上させることができるとともにγ線の感度を下げることができるので、β線の検出器に適用して特に好適である。しかも、入射窓ＩとシンチレーションＳの断面形状を略同大に形成すれば検出時のノイズであるバックグランド計数率の相対比率を低くすることができる。
【産業上の利用可能性】
【００２７】
本考案は以上の通りであって、遮光膜の入射面側にはさらに硬質な遮光膜が非接着状態に当接して備わるとともに、該硬質遮光膜の入射面側にメッシュが配設されているので、被測定対象の鋭利な部位が計器に接触しても該メッシュにより保護され、万一このメッシュの隙間から進入した部位があったとしても、上記の硬質遮光膜は、縦方向の衝撃に対しては遮光膜の厚みによってこれを受け止め、横方向の衝撃には前記遮光膜と非接着ゆえに受けた押力を横方向へ逃がすことができ、それぞれ遮光膜の破損をうまく回避でき、また、硬質遮光膜は、密度の小さいポリエステル・フィルム、ポリエチレン・フィルム、ポリイミド・フィルム、ポリプロピレン・フィルム、パラ系アラミド・フィルム、ポリフェニレン・フィルム、ナイロン・フィルム、フッ素フィルムのいずれかを素材とすれば、薄くて軽くかつ丈夫に構成することができ、さらに、シンチレータから光電子増倍管へのライト・ガイド部の内壁面に高効率反射板を周設すれば、シンチレーション光を効率よく光電子増倍管へ到達させることができるので、硬質遮光膜の追加により測定対象の放射線が減衰しても測定結果の正確性を維持でき、さらに、シンチレータの放射線入射面側を粗面に形成すれば、シンチレーション光が不規則に放出され効率よく光電子増倍管へ到達させることができ、かつ、厚さを薄くすればβ線の検出下限値を向上させることができるとともにγ線の感度を下げることができてβ線の検出に好適であり、また、入射窓と略同大に形成すればバックグランド計数率の相対比率を低くすることができ、さらに、本考案遮光ユニットは、上記のような各効果を有する硬質遮光膜を備えた遮光ユニットをシンチレーション検出器に対し着脱可能に装着して簡易に使用することができるとの効果を有するからシンチレーション検出器に適用してきわめて有用である。
【図面の簡単な説明】
【００２８】
【図１】本考案に係るシンチレーション検出器の一例を示す断面図
【符号の説明】
【００２９】
１    シンチレーション検出器
Ｉ    入射窓
Ｇ    ライトガイド
Ｇｗ  内壁面
Ｓ    シンチレータ
Ｓｗ  入射面
Ｕ    遮光ユニット
ｆ    遮光膜
Ｆ    硬質遮光膜
Ｍ    メッシュ
Ｐ    光電子増倍管
【図１】
0003144944.tif 000003